【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
プロセッサと、コンピュータプログラムを記憶した記憶装置とを有する情報処理装置であって、
前記コンピュータプログラムは、前記プロセッサを、
編集用アプリケーションにおいて編集中の文書の編集内容を取得する第１の取得手段と、
前記第１の取得手段で取得した編集内容に基づいて、当該編集中の文書に関連する関連ファイルの情報を取得する第２の取得手段と、
前記第２の取得手段で取得した前記関連ファイルの情報を一覧表示する表示手段と、
して機能させるためのコンピュータプログラムであることを特徴とする情報処理装置。
【請求項２】
前記第１の取得手段は、所定のＡＰＩを介して、前記編集用アプリケーションにおいて編集中の文書の編集内容を、前記編集用アプリケーションから取得することを特徴とする請求項１に記載の情報処理装置。
【請求項３】
前記第１の取得手段は、前記所定のＡＰＩを介して、前記編集用アプリケーションにおいて編集中の文書の編集内容の取得要求を前記編集用アプリケーションに対して定期的に送信することにより、前記編集用アプリケーションにおいて編集中の文書の編集内容を、前記編集用アプリケーションから定期的に取得することを特徴とする請求項２に記載の情報処理装置。
【請求項４】
前記第２の取得手段は、前記第１の取得手段で取得した編集内容を解析サーバーに送信して、当該編集中の文書に関連する関連ファイルの情報を前記解析サーバーから取得することを特徴とする請求項１乃至３のいずれか１項に記載の情報処理装置。
【請求項５】
前記表示手段で一覧表示される前記関連ファイルの情報には、当該一覧表示された関連ファイルの情報がユーザーにより選択された場合に、当該選択された関連ファイルを開くための当該関連ファイルへのファイルパスを示すリンクが付与されることを特徴とする請求項１乃至４のいずれか１項に記載の情報処理装置。
【請求項６】
前記表示手段で一覧表示される前記関連ファイルの情報には、前記関連ファイルそれぞれのファイル名と格納先フォルダの情報とが含まれることを特徴とする請求項１乃至５のいずれか１項に記載の情報処理装置。
【請求項７】
前記コンピュータプログラムは、更に、前記プロセッサを、
前記編集用アプリケーションにおいて、前記文書の編集が為されたか、前記文書の保存指示が為されたか判断する判断手段と、
前記判断手段で前記文書の保存指示が為されたと判断した場合に、前記編集用アプリケーションで保存指示された前記文書に関連する関連ファイルを検索し、当該検索された関連ファイルの格納先に基づいて前記文書の登録先候補の情報を取得する第３の取得手段と、
して機能させ、
前記表示手段は、前記判断手段で前記文書の編集が為されたと判断した場合は前記第２の取得手段で取得した前記関連ファイルの情報を一覧表示し、前記判断手段で前記文書の保存指示が為されたと判断した場合は前記第３の取得手段で取得した前記文書の登録先候補の情報を一覧表示することを特徴とする請求項１乃至６のいずれか１項に記載の情報処理装置。
【請求項８】
コンピュータを、
編集用アプリケーションにおいて編集中の文書の編集内容を取得する第１の取得手段、
前記第１の取得手段で取得した編集内容に基づいて、当該編集中の文書に関連する関連ファイルの情報を取得する第２の取得手段、
前記第２の取得手段で取得した前記関連ファイルの情報を一覧表示する表示手段、
として機能させるためのコンピュータプログラム。
【請求項９】
前記第１の取得手段は、所定のＡＰＩを介して、前記編集用アプリケーションにおいて編集中の文書の編集内容を、前記編集用アプリケーションから取得することを特徴とする請求項８に記載のコンピュータプログラム。
【請求項１０】
前記第１の取得手段は、前記所定のＡＰＩを介して、前記編集用アプリケーションにおいて編集中の文書の編集内容の取得要求を前記編集用アプリケーションに対して定期的に送信することにより、前記編集用アプリケーションにおいて編集中の文書の編集内容を、前記編集用アプリケーションから定期的に取得することを特徴とする請求項９に記載のコンピュータプログラム。
【請求項１１】
前記第２の取得手段は、前記第１の取得手段で取得した編集内容を解析サーバーに送信して、当該編集中の文書に関連する関連ファイルの情報を前記解析サーバーから取得することを特徴とする請求項８乃至１０のいずれか１項に記載のコンピュータプログラム。
【請求項１２】
前記表示手段で一覧表示される前記関連ファイルの情報には、当該一覧表示された関連ファイルの情報がユーザーにより選択された場合に、当該選択された関連ファイルを開くための当該関連ファイルへのファイルパスを示すリンクが付与されることを特徴とする請求項８乃至１１のいずれか１項に記載のコンピュータプログラム。
【請求項１３】
前記表示手段で一覧表示される前記関連ファイルの情報には、前記関連ファイルそれぞれのファイル名と格納先フォルダの情報とが含まれることを特徴とする請求項８乃至１２のいずれか１項に記載のコンピュータプログラム。
【請求項１４】
前記コンピュータプログラムは、更に、前記コンピュータを、
前記編集用アプリケーションにおいて、前記文書の編集が為されたか、前記文書の保存指示が為されたか判断する判断手段、
前記判断手段で前記文書の保存指示が為されたと判断した場合に、前記編集用アプリケーションで保存指示された前記文書に関連する関連ファイルを検索し、当該検索された関連ファイルの格納先に基づいて前記文書の登録先候補の情報を取得する第３の取得手段、
として機能させ、
前記表示手段では、前記判断手段で前記文書の編集が為されたと判断した場合は前記第２の取得手段で取得した前記関連ファイルの情報を一覧表示し、前記判断手段で前記文書の保存指示が為されたと判断した場合は前記第３の取得手段で取得した前記文書の登録先候補の情報を一覧表示する
ことを特徴とする請求項８乃至１３のいずれか１項に記載のコンピュータプログラム。
【請求項１５】
請求項８乃至１４のいずれか１項に記載のコンピュータプログラムを記憶した、コンピュータ読み取り可能な記憶媒体。
【請求項１６】
情報処理装置により実行される情報処理方法であって、
前記情報処理装置の第１の取得手段が、編集用アプリケーションにおいて編集中の文書の編集内容を取得する第１の取得ステップと、
前記情報処理装置の第２の取得手段が、前記第１の取得ステップで取得した編集内容に基づいて、当該編集中の文書に関連する関連ファイルの情報を取得する第２の取得ステップと、
前記情報処理装置の表示手段が、前記第２の取得ステップで取得した前記関連ファイルの情報を一覧表示する表示ステップと、
を有することを特徴とする情報処理方法。
【手続補正２】
【補正対象書類名】明細書
【補正対象項目名】０００６
【補正方法】変更
【補正の内容】
【０００６】
上記課題を解決するために、本発明の情報処理装置は、プロセッサと、コンピュータプログラムを記憶した記憶装置とを有する情報処理装置であって、前記コンピュータプログラムは、前記プロセッサを、編集用アプリケーションにおいて編集中の文書の編集内容を取得する第１の取得手段と、前記第１の取得手段で取得した編集内容に基づいて、当該編集中の文書に関連する関連ファイルの情報を取得する第２の取得手段と、前記第２の取得手段で取得した前記関連ファイルの情報を一覧表示する表示手段と、して機能させることを特徴とする。